Podtech/llm-jp-corpus-v4-ja_patent huggingface dataset:
(57)【要約】【課題】  地震発生前におこる赤外線量の増加を観測することで事前に地震発生を予測できる地震予測計を提供する。【解決手段】  赤外線センサー２を備えた地震検知器１にて、赤外線量を常時測定し、赤外線量の増加等の異常値が検出された場合、操作パネル５のモニター６や警告灯８、スピーカー９にて警告する。【選択図】図４
2011191313.tif 000002
【特許請求の範囲】
【請求項１】
赤外線センサーを備えた地震予測計であって、大気中、あるいは地中内部の赤外線量を赤外線センサーにて常時測定し、地震発生前に起きる赤外線量の増加を検出する事で、地震発生を予め予測する地震予測計
【請求項２】
請求項１記載の地震予測計において、赤外線量の増加した地域を通信機能にて、地域別のデータとして、サーバーに収集し、赤外線量の増加率を地域別に分析する事で地震発生地域を特定し、予測する地震予測システム
【発明の詳細な説明】
【技術分野】
【０００１】  本考案は地震予測計に関し、特に地震発生前に起きる赤外線量の増加を検知する事で、地震の発生を予測する地震予測計に関する。
【背景技術】
【０００２】  地震発生前には地震の前兆と思われる様々な宏観異常現象があるとされるが、電子機器に異常をきたす宏観異常現象も多数報告されている。【０００３】  電子機器に異常をきたす宏観異常現象としては、テレビやレコーダー、エアコン等で、勝手に電源がＯＮ、ＯＦＦされる、あるいはリモコンを操作しないにも関わらず誤作動を起こす、またはリモコンの操作がまったく効かない等の異常が報告されている。【０００４】  この電子機器の宏観異常現象については、（０００３）によれば、特にリモコンと赤外線センサーを利用する機能において不具合が起きている事が多いのがわかる。【０００５】  ところで、通常の電子機器のリモコンと赤外線センサーを利用した機能において、誤作動を起こす場合はごく限られている。【０００６】  例としては赤外線センサーを備えた電子機器を野外にて使用した場合において、直射日光や車のライト等の外部からの光を、赤外線センサーにて感知した場合、（０００３）と同様の誤作動を起こす場合がある。【０００７】  また、屋内にて特定の波長の赤外線を照射する蛍光管を使用した場合にも、電子機器の赤外線センサーにて誤検知され、（０００３）と同様の誤作動を起こす場合がある。【０００８】  更には、使用している電子機器とは別の電子機器のリモコン混信による誤作動等が上げられる。【０００９】  （０００６）から（０００８）までの動作不良現象から、地震発生前に起きる（０００３）の電子機器の宏観異常現象は、赤外線の異常発生による障害が原因であると推測することができる。【００１０】  したがって、地震発生前に赤外線が異常発生する事により、電子機器の赤外線センサーになんらかの障害が起こるのであれば、その赤外線量の増加を常時観測することで、地震発生を予め予測することが可能となるはずである。
【発明の開示】
【発明が解決しようとする課題】
【００１１】  地震発生前におこる赤外線量の増加を観測することで事前に地震発生を予測できる地震予測計を提供する。
【課題を解決する為の手段】
【００１２】  赤外線センサー２を備えた地震検知器１にて、赤外線量を常時測定し、赤外線量の増加等の異常値が検出された場合、操作パネル５のモニター６や警告灯８、スピーカー９にて警告する。
【発明の効果】
【００１３】  地震検知器１の赤外線センサー２で赤外線量を測定し、赤外線量の増加等の異常値を検出することで地震発生を予め予測することができる。
【発明を実地する為の最良の形態】
【００１４】  地震検知器１に備えられた赤外線センサー２で、赤外線量を常時測定し、コード４にて操作パネル５に赤外線量の測定データは送られ、モニター６で赤外線量の表示１０が行われる。赤外線量は常時記録され、赤外線量の増加等の異常値が検出された場合にはモニター６や警告灯８、スピーカー９にて警告が行われる。
【００１５】  地震検知器１を野外や屋内で直射日光が入ってくる場所に設置する場合には、赤外線センサーに赤外線フィルタを備える必要がある。
【００１６】  図３は地中埋め込み型の地震検知器である。先端には赤外線センサー２が備えられ、地中に埋め込むことで、地中の赤外線量を測定する事ができる。測定されたデータはコード４により操作パネル５へ送られる。
【００１７】  操作パネル５に送られたデータは、通信用コード１３で外部の通信機器に接続され、地域別のデータをサーバーに収集し、分析する事で地震発生地域を特定することができる。
【００１８】  赤外線センサーについては大きく分けて量子型赤外線センサーと熱型赤外線センサーの２種類があるが、使用する赤外線センサーの種類は問わないとする。
【図面の簡単な説明】
【００１９】
【図１】地震検知器を示した側面図である。
【図２】操作パネルを示した平面図である。
【図３】埋め込み型地震検知器を示した側面図である。
【図４】地震検知器と操作パネルを示した図である。
【符号の説明】
【００２０】１  地震検知器
２  赤外線センサー
３  スモークカバー
４  コード
５  操作パネル
６  モニター
７  起動灯
８  警告灯
９  スピーカー
１０  赤外線検知ログ
１１  埋め込み型地震検知器
１２  保護カバー
１３  通信用コード
【図１】
2011191313.tif 000003
【図２】
2011191313.tif 000004
【図３】
2011191313.tif 000005
【図４】
2011191313.tif 000006
【手続補正書】
【提出日】平成23年5月24日(2011.5.24)
【手続補正１】
【補正対象書類名】明細書
【補正対象項目名】００２０
【補正方法】変更
【補正の内容】
【００２０】１  地震検知器
２  赤外線センサー
３  スモーク保護カバー
４  コード
５  操作パネル
６  モニター
７  起動灯
８  警告灯
９  スピーカー
１０  赤外線検知ログ
１１  埋め込み型地震検知器
１２  保護カバー
１３  通信用コード
(57)【要約】【課題】  今までの尺八は、指穴の開閉により音を変化させる為に、指が届く長さの筒しか使えなかった。それ故に、仮に指穴を全てふさぎ、ディジュリドゥーのように使ったとしても、深くて低い音は出せなかった。  またディジュリドゥーも、その形状及び構造の為、尺八の様に歌口から吹く息が割れる音を表現することができなかった。【解決手段】  少なくとも１ｍを超えるほどの長い筒に吹く息を割って音を出す歌口を設けた管楽器を特徴とする。【選択図】図１
2011191721.tif 000002
【特許請求の範囲】
【請求項１】
少なくとも１ｍを超えるほどの長い筒に息を吹き込んで音を出す管楽器。
【発明の詳細な説明】
【技術分野】
【０００１】  この発明は、少なくとも１ｍを超えるほどの長い筒に息を吹き込んで音を出す管楽器に関するものである。
【背景技術】
【０００２】  従来、尺八とは一本の筒に指穴が５つあり、その指穴の開閉と息の吹き具合や角度を変えることで音を出す楽器である。
また、ディジュリドゥーは、尺八の数倍もある長さの筒の一端に口をペッタリとつけ、口唇から息が出る時に鳴る音を密閉された筒で増幅させて音をつくり出す楽器である。そしてこの二つの楽器は全く別のものであった。
【発明の概要】
【発明が解決しようとする課題】
【０００３】  これは、次のような欠点があった。
今までの尺八は、指穴の開閉により音を変化させる為に、指が届く長さの筒しか使えなかった。その為、仮に指穴を全てふさぎ、ディジュリドゥーのように使ったとしても、深くて低い音は出せなかった。
またディジュリドゥーも、その形状及び構造の為尺八の様に歌口から吹く息が割る音を表現することが出来なかった。
本発明は、以上のような欠点をなくす為になされたものである。
【課題を解決するための手段】
【０００４】  筒の一端から息を吹き込んだ時に非常に低い共鳴音が出る程長い筒を使い、その一端を鋭角に切り落とし、吹く息を割る歌口を設ける。
本発明は、以上の構成よりなるものである。
【発明の効果】
【０００５】  この作品は、ディジュリドゥーとして使ったとしても十分にその効果が発揮できる程、太くて長いサイズの筒に、吹く息を割る吹き口を作った構成である。
その結果、それまでのものでは創り出せなかった広い音域に渡る倍音を創り出し、それぞれの感性に合わせて表現することが可能になった。
【図面の簡単な説明】
【０００６】
【図１】本発明の斜視図である。
【図２】本発明の断面図である。
【発明を実施するための形態】
【０００７】  以下、本発明を実施するための形態について説明する。
元来、尺八は、指穴があり、それを利用することによりドレミファソラシドなどの音階を自由に鳴し、演奏するものである。
しかし、この倍音を出す管楽器には指穴が無く、ディジュリドゥーのように使ったとしても充分に深くて低い音が出せる程太くて長い、従来の尺八には無いサイズの筒を使い（図１）その一端を艮く吹いた息が割れる様に、鋭く切り落とし、吹き口に無理なく息を入れられるように調整して形づくったものである。（図２）
【実施例１】
【０００８】  この倍音の出る管楽器をそのままディジュリドゥーの様に、口の一部を含む顔の一部を密着させて、口唇から息が出る時に鳴る音を筒の中で響かせ作る音、倍音を楽しむ。またその特種な形の吹き口を利用して尺八のように、風を切る音で倍音をつくり楽しむ。（図１）（図２）
【実施例２】
【０００９】  この倍音の出る管楽器の表面に弦を張り、それを指で弾いて、管を吹いて音を出すと同時に、弦楽器としても使い、そのアンサンブルを作り出す。また、その弦を弓でこすって音を出すと一層趣のあるアンサンブルを楽しめる。（図３）
【実施例３】
【００１０】  この倍音の出る管楽器の筒に、一つまたは複数の穴をあけ、音を変調させて使う。その場合、本体が長いので指又は足でふさげる範囲にだけ穴を設けることができる。（図４）
【実施例４】
【００１１】  実施例２であげたように使用した時、その弦の音を拡声させる為に何らかの拡声器となる器をその弦と筒の間に挟み、弦を弾くと共に拡声器自体をパーカッションのように打楽器として使い、さらに高い音楽性を表現する。（図５）
本発明は以上のような構造である。
これを使用するとき、以上のように楽器または交信の道具として、個人の感性に合わせ、その可能性を最大限に活用して表現すればよい。
【符号の説明】
【００１２】▲１▼  倍音を出す    ▲３▼  穴    ▲５▼  拡声器及び打楽器    ▲７▼  弦と本体の留め金    ▲２▼  尺八の吹き口    ▲４▼  弦    ▲６▼  弦高を高くする台
【図１】
2011191721.tif 000003
【図２】
2011191721.tif 000004
【図３】
2011191721.tif 000005
【図４】
2011191721.tif 000006
【図５】
2011191721.tif 000007
【手続補正書】
【提出日】平成22年6月5日(2010.6.5)
【手続補正１】
【補正対象書類名】明細書
【補正対象項目名】０００６
【補正方法】変更
【補正の内容】
【０００６】
【図１】本発明の斜視図である。
【図２】本発明の断面図である。（付号▲１▼は筒本体、▲２▼は吹き口（歌口）を表わす。）
【図３】この筒の表面にギターやベースの弦を張ったものである。筒を吹いて音を出すと同時にその弦を指で弾いたり、棒で叩くことにより、アンサンブルを作り出す。また、弦を胡弓やバイオリンの弦にして弓でこすって音を出すことにより、異なった趣を表現することもできる。（付号▲４▼は弦）
【図４】この筒の本体に穴を開けたものである。本体の長さが長いので指で自在に穴をふさいだり開いたりして音を変えることはできないが、あらかじめ曲調に合わせ、ふさぐべき穴をゴム製の蓋のようなものでうまくふさぎ、固定し、表現したい調に整えて使用する。（付号▲３▼は穴）
【図５】［図３］のように弦を張る場合、その弦の音を拡声させるために、何らかの拡声器となる器（空き缶やひょうたんなど）を弦と本体の間に挟んだものである。音を拡声させると共に、その拡声器自体をパーカッションの様に使い、さらに異なった趣を表現する。なお、弦の音を変化させるため、図の中の▲６▼と歌口近くの▲７▼の間の弦を、筒を握る手の指で圧迫し、その力の強弱をうまくコントロールして弦の張りを変え、自在に音をつくる。また、弦と本体の筒を吹く音を同調させるため、［図４］で説明したとおり、あらかじめ余計な穴をふさぎ、弦もチューニングして使用すると心地よいアンサンブルがとれるようになる。（▲５▼は拡声器及び打楽器  ▲６▼は弦高を高くする台  ▲７▼は弦と本体の留め金）
(57)【要約】      （修正有）【課題】手軽にストラップを着けて持ち運びができ、撮影する際も、安定し、手ブレを防ぎ、縦横のアングルも取りやすく、どのカメラにも着脱を可能にし、非常用としても使用できるグリップを提供する。【解決手段】グリップの一端にカメラ等に着け外しが出来る着脱部を設け、片手で握ることのでき、ストラップを着けて手軽に持ち運びが出来て、手ブレを防ぎ、縦横のアングルも取りやすい。またグリップ部分を小型電燈型、呼び子型、あるいは常備薬や小物が収納出来る容器具型にし、各地名産品、キャラクターグッツ等に、旅や登山の非常用用具としても利用できる。また自在に曲げ伸ばし可能な足７をグリップの中から取り出して三脚型にすることによりカメラを安定保持することが出来る。【選択図】図１
2011191722.tif 000002
【特許請求の範囲】
【請求項１】
グリップの一端にカメラ等に着脱自在に着け外しをするための、着脱部を設けたことを特徴とするグリップ。
【発明の詳細な説明】
【技術分野】
【０００１】本発明は、小型カメラ用に取り着けるグリップの具に関するものである。
【背景技術】
【０００２】従来には、三脚や一脚はあるが、大きく重量があり、手軽に持ち運びしずらい、又カメラがデジルタカメラ主流となったため小型軽量化されて、手ブレしやすくなっている。
【発明の概要】
【発明が解決しようとする課題】
【０００３】上記の問題を解決するために、手軽にグリップにストラップを着けて持ち運びができ、撮影する際も、安定し、手ブレを防ぎ、縦横のアングルも取りやすく、どのカメラにも、着脱を可能にし、非常用としても、使用できるものを、提供することである。
【課題を解決するための手段】
【０００４】本発明は、グリップの一端にカメラ等に付いている着脱自在の、着け外しが出来きる着脱部を設けたものである。
【発明の効果】
【０００５】本発明により、手軽にグリップにストラップを着けて持ち運びができ、撮影する際も、安定し、手ブレを防ぎ、縦横のアングルも取りやすく、どのカメラにも、着脱を可能にし、非常用としても使用でき、手の平に入る範囲の大きさで、着脱も容易に出来、ストラップを着けることにより、持ち運びも楽になった。
【図面の簡単な説明】
【０００６】
【図１】本発明の斜視図
【図２】本発明の使用状態を示す図
【図３】本発明の小型電燈型の斜視図
【図４】本発明の呼び子型の斜視図
【図５】本発明の三脚型の斜視図
【発明を実施するための形態】
本発明を、実施するときには、〔図２〕のカメラの着脱口に２Ａ〔図１〕の着脱部２を取り着けて、片手で握りやすい程度の大きさのグリップ１を確り握ることにより、カメラ３が安定し、縦横のアングル取りや、ブレを防ぐことが出来る。
【実施例１】以下、本発明の実施例１を図３に基ずいて説明すると、中空状のグリップ１の一端に、着脱部２を設けると共に、グリップ１の内部に電池を設け、電球４を点灯、消灯可能なものを設けることもできる。
【実施例２】実施例２は図４に基図いて説明すると、グリップ１を筒状の呼び子を作り、吹き口６の逆の一端に着脱部２を設けることで持ち歩きができるから、非常時に使用できる。
【実施例３】実施例３は図５に基ずいて説明すると、中空状のグリップ１の一端に、着脱部２を設けると共に、グリップ１の内部に収納ができる自在に曲げ伸ばしのできる足７を設け、その足７を取り出して逆の一端に取り付けることにより三脚として使用することもできる。
【符号の説明】１        グリップ
２        着脱部
２Ａ      カメラ着脱口
３        カメラ
４        電池
５        電球
６        吹き口
７        足
【図１】
2011191722.tif 000003
【図２】
2011191722.tif 000004
【図３】
2011191722.tif 000005
【図４】
2011191722.tif 000006
【図５】
2011191722.tif 000007
(57)【要約】【課題】本発明は、ガラス面など吸盤が吸い付く面に、ポスター等の掲示物を容易に繰り返し掲示することを可能とする。【解決手段】  本発明は、吸盤（下部吸盤）の吸着面とは反対側にポスター等の掲示物を挟むための吸盤状の押さえ具（上部吸盤）を設け、また、ポスター等の掲示物の脱落を防止するため、吸盤（下部吸盤）の吸着面はと反対側の面又は吸盤状の押さえ具（上部吸盤）の吸着面側の面、の一方又は両方に止め具を設けた、二層吸盤掲示用具で、吸盤（下部吸盤）と吸盤状の押さえ具（上部吸盤）との間にポスター等の掲示物の端を挟み、吸盤をガラス面などに吸着させると、この二層の吸盤が密着するとともに止め具で、その間にあるポスター等の掲示物の端が固定されるので、ポスター等の四隅を本二層吸盤掲示用具で挟み吸着させれば、ガラス面などに掲示することができる。【選択図】図２
2011191720.tif 000002
【特許請求の範囲】
【請求項１】
吸盤の吸着面とは反対側にポスター等の掲示物を挟むための吸盤状の押さえ具を備え、吸盤の吸着面とは反対側の面又は吸盤状の押さえ具の吸着面側の面、の一方又は両方にポスター等の掲示物の脱落を防止するための止め具を備えた、二層吸盤掲示用具。
【請求項２】
吸盤の吸着面とは反対側にポスター等の掲示物を挟むための吸盤状の押さえ具を備えた、二層吸盤掲示用具。
【発明の詳細な説明】
【技術分野】
【０００１】  本発明は、ガラス面など吸盤が吸い付く面に、ポスター等の掲示物を掲示する用具に関するものである。
【背景技術】
【０００２】  従来は、ガラス面などにポスター等の掲示物を掲示する際は、セロハンテープでガラス面などにポスター等の掲示物を貼り付けていたが、ポスター等の掲示物をはがした時にガラス面などにセロハンテープの跡が残ったり、はがす際にポスター等の掲示物の端が破れたりしていた。
【発明の概要】
【発明が解決しようとする課題】
【０００３】  本発明は、これらの欠点を除いて、ポスター等の掲示物をはがした時にもガラス面などにセロハンテープの跡を残さず、また、はがしたポスター等の掲示物の端も破れないようにしたものである。
【課題を解決するための手段】
【０００４】  吸盤（下部吸盤）の吸着面とは反対側にポスター等の掲示物を挟むための吸盤状の押さえ具（上部吸盤）を設ける。また、ポスター等の掲示物の脱落を防止するため、吸盤（下部吸盤）の吸着面とは反対側の面又は吸盤状の押さえ具（上部吸盤）の吸着面側の面、の一方又は両方に止め具を設ける。
【発明の効果】
【０００５】  本発明の二層吸盤掲示用具により、ポスター等の掲示物の端を二層の吸盤の間に挟み、吸盤をガラス面などに吸着させると、二層の吸盤が密着するとともに止め具によりその間にあるポスター等の掲示物の端が固定され、ポスター等の掲示物の四端に本二層吸盤掲示用具を使用すれば、ポスター等の掲示物をガラス面などに掲示することができ、吸盤をガラス面などから外してポスター等の掲示物をはがした時にもガラス面などにセロハンテープの跡を残さず、また、はがしたポスター等の掲示物の端も破れず、さらに本二層吸盤掲示用具は繰り返し使用することができる。
【図面の簡単な説明】
【０００６】
【図１】  本発明の斜視図
【図２】  本発明の側面図
【発明を実施するための形態】
【０００７】  吸盤（下部吸盤）の吸着面とは反対側にポスター等の掲示物を挟むための下部吸盤と同形状の吸盤状の押さえ具（上部吸盤）を設けるとともに、ポスター等の掲示物の脱落を防止するため、吸盤（下部吸盤）の吸着面とは反対側の面又は吸盤状の押さえ具（上部吸盤）の吸着面側の面、の一方又は両方に止め具（ポリウレタン樹脂接着マット、針ピン等）を設ける。
【実施例】
【０００８】  以下、添付図面に従って実施例を説明する。吸盤（下部吸盤）１と吸盤状の押さえ具（上部吸盤）２との間にポスター等の掲示物の端を挟み、吸盤（下部吸盤）１をガラス面などに吸着させると、この二層の吸盤が密着するとともに止め具３で、その間にあるポスター等の掲示物の端が固定されるので、ポスター等の掲示物の四端を本二層吸盤掲示用具で挟み吸着させれば、ポスター等の掲示物をガラス面などに掲示することができる。
【産業上の利用可能性】
【０００９】  本発明は、ポスター等の掲示物をガラス面などに容易に繰り返し掲示することができる。
【符号の説明】
【００１０】  １  吸盤（下部吸盤）
２  吸盤状の押さえ具（上部吸盤）
３  止め具
【図１】
2011191720.tif 000003
【図２】
2011191720.tif 000004
(57)【要約】【課題】本発明の課題は、２重パルス式レーダの２次エコーの除去をデジタルデータで行うことにより、部品点数を少なく、小型で安価なレーダ画像処理装置を提供することにある。【解決手段】本発明は、１繰り返しの間に長パルスと短パルスの電波を送信すると共に反射波を受信するアンテナ１１及びレーダ装置１２と、レーダ装置１２から出力された受信信号をデジタルデータに変換するＡＤ変換器１３と、数値制御発信機１４で生成した受信したいパルスの周波数に応じた信号とＡＤ変換器１３から出力されたデジタルデータの受信信号とが混合され、受信したい信号をベースバンドに変換するミキサ１５と、ミキサ１５からの出力信号が入力され、２次エコーを除去して受信したい信号を指示器へ出力するフィルタ１６とを具備することを特徴とする。【選択図】図１
2011191134.tif 000002
【特許請求の範囲】
【請求項１】
１繰り返しの間に長パルスと短パルスの電波を送信する２重パルス式レーダのレーダ画像処理装置において、
１繰り返しの間に長パルスと短パルスの電波を送信すると共に反射波を受信するアンテナ及びレーダ装置と、
前記レーダ装置から出力された受信信号をデジタルデータに変換するＡＤ変換器と、
周波数制御により受信したいパルスの周波数に応じた信号を生成する数値制御発信機と、
前記数値制御発信機で生成した信号と前記ＡＤ変換器から出力されたデジタルデータの受信信号とが混合され、受信したい信号をベースバンドに変換するミキサと、
前記ミキサからの出力信号が入力され、２次エコーを除去して受信したい信号を指示器へ出力するフィルタと
を具備することを特徴とするレーダ画像処理装置。
【発明の詳細な説明】
【技術分野】
【０００１】
本発明は、例えば航空機等の飛翔体に搭載された１繰り返しの間に長パルスと短パルスの電波を送信する２重パルス式レーダにおいて、２次エコーを除去するレーダ画像処理装置に関する。
【背景技術】
【０００２】
一般に、１繰り返しの間に長パルスと短パルスの電波を送信する２重パルス式レーダのレーダ画像処理装置においては、レーダ装置に予め複数個の第１局部発振器を持ち、互いに周波数の異なる長パルスと短パルスに応じて第１局部発振器を選択し、受信信号の周波数を変更していた。
【先行技術文献】
【特許文献】
【０００３】
【特許文献１】特表平８−５０１３８３号公報
【発明の概要】
【発明が解決しようとする課題】
【０００４】
従来の２重パルス式レーダのレーダ画像処理装置は、第１局部発振器の周波数を変化させることで長パルスと短パルスの周波数を区別していた。このため、第１局部発振器及び関連回路を複数個必要とし、部品点数が増加する欠点があった。
【０００５】
本発明は上記の事情に鑑みてなされたもので、２重パルス式レーダの２次エコーの除去をデジタルデータで行うことにより、部品点数を少なく、小型で安価なレーダ画像処理装置を提供することを目的とする。
【課題を解決するための手段】
【０００６】
上記目的を達成するために、本発明は、１繰り返しの間に長パルスと短パルスの電波を送信する２重パルス式レーダのレーダ画像処理装置において、１繰り返しの間に長パルスと短パルスの電波を送信すると共に反射波を受信するアンテナ及びレーダ装置と、前記レーダ装置から出力された受信信号をデジタルデータに変換するＡＤ変換器と、周波数制御により受信したいパルスの周波数に応じた信号を生成する数値制御発信機と、前記数値制御発信機で生成した信号と前記ＡＤ変換器から出力されたデジタルデータの受信信号とが混合され、受信したい信号をベースバンドに変換するミキサと、前記ミキサからの出力信号が入力され、２次エコーを除去して受信したい信号を指示器へ出力するフィルタとを具備することを特徴とするものである。
【発明の効果】
【０００７】
本発明は、回路が単純で部品点数も少なく、安価なレーダ画像処理装置を提供できることから、２重パルス式航法気象レーダに用いる等の実用に際し得られる効果は大である。
【図面の簡単な説明】
【０００８】
【図１】本発明の実施形態に係るレーダ画像処理装置を示す構成説明図である。
【図２】本発明の実施形態に係る２次エコー除去の過程を示す説明図である。
【発明を実施するための形態】
【０００９】
以下、本発明の実施の形態について、詳細に説明する。
【００１０】
図１は本発明の実施形態に係るレーダ画像処理装置を示す構成説明図であり、図２は本発明の実施形態に係る２次エコー除去の過程を示す説明図である。本発明の実施形態に係るレーダ画像処理装置は例えば航空機等の飛翔体に搭載された１繰り返しの間に長パルスと短パルスの電波を送信する２重パルス式航法気象レーダのレーダ画像処理装置として用いられる。図１において、１１はアンテナ、１２はレーダ装置、１３はＡＤ変換器、１４は数値制御発信機（以下ＮＣＯという）、１５はミキサ、１６はフィルタである。
【００１１】
図１に示すように、レーダ装置１２はアンテナ１１を経由して１繰り返しの間に予め互いに異なる周波数の長パルスと短パルスの電波を送信すると共に反射波（目標からのエコー）を受信する。レーダ装置１２が受信する受信信号は図２（ａ）に示すように送信周波数に応じて離れた周波数Ａと周波数Ｂになる。
【００１２】
レーダ装置１２から出力される受信信号はＡＤ変換器１３に入力され、ＡＤ変換器１３に入力された受信信号はデジタルデータに変換されてミキサ１５に出力される。ミキサ１５はＡＤ変換器１３から入力されたデジタルデータの受信信号とＮＣＯ１４で生成された信号とが混合され、受信したい信号をベースバンドの周波数Ｂ−Ａに変換する。ＮＣＯ１４はＦＰＧＡ（Ｆｉｅｌｄ  Ｐｒｏｇｒａｍｍａｂｌｅ  Ｇａｔｅ  Ａｒｒａｙ）で構成され、ＦＰＧＡ内部のデジタルデータにおいて生成した周波数とデジタルデータの受信信号の周波数を混合することでベースバンドに周波数変換する。ＮＣＯ１４は周波数制御により受信したい送信パルスの周波数に応じた信号を生成する。ミキサ１５からの混合後の出力信号は図２（ｂ）に示すように、周波数Ｂ−Ａの外に２次エコーＣが存在する。
【００１３】
ミキサ１５からの混合後の出力信号はフィルタ１６に入力される。フィルタ１６はフィルタ特性Ｆにより受信したい信号の周波数Ｂ−Ａのみ通過させ、不要なパルスの２次エコーＣは遮断除去される。フィルタ１６を通過した受信したい信号の周波数Ｂ−Ａは指示器へ出力され、指示器に表示されて観測される。
【００１４】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００１５】
１１…アンテナ、１２…レーダ装置、１３…ＡＤ変換器、１４…数値制御発信機（ＮＣＯ）、１５…ミキサ、１６…フィルタ。
【図１】
2011191134.tif 000003
【図２】
2011191134.tif 000004
(57)【要約】      （修正有）【課題】飲料水を携帯する際にコップに注いで香りを楽しみながら飲みたい場合、飲み口の小さいボトルの場合、コップの代わりに蓋（キャップ）を利用すれば良いが、小さすぎて使用するには不便であった。また、代用コップが付随した物や代用コップに代わるものもあるが飲み口の部分が不衛生であり、また使用中はボトルの蓋の役目を果たせなかった。【解決手段】コップと蓋（キャップ）の良い部分を失わずに同時に２つの役目を果せるようにコップとキャップを合体させたり、また、二種類の形や大きさの違ったキャップを合体させることで解決をはかった。【選択図】図１
2011068404.tif 000002
【特許請求の範囲】
【請求項１】
容器（コップ）と蓋の役目を果たすもの中で、容器の役目をしている時は蓋の役目を果たすことができず、蓋の役目をしている時は容器の役目を果たすことができなかった。この発明は蓋つき容器の底を外側からへこませ、別の容器（ボトル）の蓋の役目をつけることで、容器の役目も蓋の役目も同時に果たすことができた。
【請求項２】
従来の蓋は形や大きさ違う別の二つの容器の両方の蓋の役目は果たせなかった。この発明によってコップの容器の蓋とペットボトルの蓋の両方の役目を果たすことができた。
【発明の詳細な説明】
【技術分野】
【０００１】
【背景技術】
【０００２】
【先行技術文献】
【０００３】
【非特許文献】
【０００４】
【発明の概要】
【発明が解決しようとする課題】
【０００５】  飲料水を携帯する際にコップに注いで香りを楽しみながら飲みたい場合、飲み口の小さいボトルの場合、コップの代わりに蓋（キャップ）を利用すれば良いが、小さすぎて使用するには不便であった。また、代用コップが付随した物や代用コップに代わるものもあるが飲み口の部分が不衛生であり、また使用中はボトルの蓋の役目を果たせなかった。
【課題を解決するための手段】
【０００６】  蓋つきのコップの底を外側からへこませて従来の飲み口の小さいボトルのキャップの役目（らせん状のねじ目）をつけた。また、コップの蓋の内側に飲み口の小さいボトルの蓋をつけることで、飲み口の小さいボトルの蓋を図１の１か図１の５のどちらもつかえるようにすることで課題をの解決をはかった。
【図面の簡単な説明】  蓋つきコップの底を外側からへこませ、飲み口の小さいボトルのキャップにした。また、コップの蓋をボトルの蓋に使えるようにした。
【符号の説明】図１の１はコップの蓋であるが、ボトルの蓋にも使える。
図１の２はコップのらせん状のねじ目が付いている。
図１の３は従来のキャップの上側
図１の４は従来のキャップの下側穴のあいている部分。
図１の５はコップの役目とボトルの蓋の役目がある。
図２の６はらせん状の目が付いている。
【図１】
2011068404.tif 000003
【図２】
2011068404.tif 000004
【手続補正書】
【提出日】平成21年11月19日(2009.11.19)
【手続補正１】
【補正対象書類名】明細書
【補正対象項目名】全文
【補正方法】変更
【補正の内容】
【発明の詳細な説明】
【技術分野】
【０００１】
【背景技術】
【０００２】
【先行技術文献】
【０００３】
【非特許文献】
【０００４】
【発明の概要】
【発明が解決しようとする課題】
【０００５】  飲料水を携帯する際にコップに注いで香りを楽しみながら飲みたい場合、飲み口の小さいボトルの場合、コップの代わりに蓋（キャップ）を利用すれば良いが、小さすぎて使用するには不便であった。また、代用コップが付随した物や代用コップに代わるものもあるが飲み口の部分が不衛生であり、また使用中はボトルの蓋の役目を果たせなかった。
【課題を解決するための手段】
【０００６】  蓋つきのコップの底を外側からへこませて従来の飲み口の小さいボトルのキャップの役目（らせん状のねじ目）をつけた。また、コップの蓋の内側に飲み口の小さいボトルの蓋をつけることで、飲み口の小さいボトルの蓋を図１の１か図１の５のどちらもつかえるようにすることで課題をの解決をはかった。
【図面の簡単な説明】
【０００７】
【図１】  蓋つきコップの底を外側からへこませ、飲み口の小さいボトルのキャップにした。また、コップの蓋をボトルの蓋に使えるようにした。
【図２】  従来のボトル
【符号の説明】
【０００８】  図１の１はコップの蓋であるが、ボトルの蓋にも使える。
図１の２はコップのらせん状のねじ目が付いている。
図１の３は従来のキャップの上側
図１の４は従来のキャップの下側穴のあいている部分。
図１の５はコップの役目とボトルの蓋の役目がある。
図２の６はらせん状の目が付いている。
(57)【要約】【課題】ゴミ袋の重さに耐えられ、虫の発生や、悪臭を抑える密閉性と使用時の本体の汚れを最小限する衛生的な、ゴミ袋用ホルダーを提供すること。【解決の手段】箱型外枠の内側底部に袋を固定すためのクリップを設ける。中枠と内枠で袋を挟み適度な角度で開閉させる構造にする。未使用時、中枠と内枠が箱型外枠の内側に収納され密閉される構造にする。以上を特徴とするゴミ袋ホルダー。【選択図】図１
2011068488.tif 000002
【特許請求の範囲】
【請求項１】
本体となる箱型外枠の内側にゴミ袋の周囲を挟む枠とクリップ設け、その内側に袋を掛ける枠を設け、２つの内枠を折りたためる構造が特徴のごみ袋ホルダー。
【発明の詳細な説明】
【技術分野】
【０００１】本発明は、ゴミ袋を保持させるためのゴミ袋ホルダーに関するものである。
【背景技術】
【０００２】従来、ゴミ袋を保持するためのホルダーがあった（特許文献１参照）。また口が開閉可能なゴミ袋ホルダーがあった（特許文献２参照）。
【先行技術文献】
【０００３】
【特許文献１】特許公開２００８−２３０８４７
【特許文献２】特許公開平１１−４９３０５
【発明の概要】
【発明が解決しようとする課題】
【０００４】そのために、次のような問題点があった。
（イ）ごみの重みで袋が外れてゴミが散乱する。
（ロ）密閉されず、虫が入って繁殖したり、悪臭が漂う。
（ハ）枠が汚れて、不潔になる。
本発明は、これらの問題点を解決するためになされたものである。
【課題を解決するための手段】
【０００５】本体となる箱型外枠の内側に、ゴミ袋を挟むクリップ設け、袋を挟み込むための２重の内枠を設けゴミ袋を固定できるようにする。２重の内枠は本体内部に折りたためるように、開閉できる構造にする。
以上を特徴とするゴミ袋ホルダーである。
【発明の効果】
【０００６】十分な重みの袋に耐えられる構造であり、袋の固定方法の特徴により密閉性が高く本体自体の汚れも最小限に抑えられ、衛生的なホルダーである。
【図面の簡単な説明】
【０００７】
【図１】本発明の斜視図
【図２】本発明の斜視分解図
【発明を実施するための形態】
【０００８】以下、本発明の実施の形態について説明する。
（イ）箱型外枠（１）の内側に収まり、適度の角度で開閉できるよう設計された中枠（２）を設ける。
（ロ）中枠（２）の内側に収まる内枠（３）を設ける。
（ハ）内枠（３）の内側に収まる横長の板状クリップ（４）を設ける。
（ニ）箱型外枠（１）、中枠（２）、内枠（３）の基底部の穴を、ピン（５）にて板状クリップ（４）とで固定する。
（ホ）箱型外枠（１）と板状クリップ（４）にばね（６）を装着する。
本発明は以上のような構成で、これを使用するときは、内枠（３）の内側から外側に向けてゴミ袋を取り付ける。内枠（３）を中枠（２）に重ねて、ゴミ袋を固定する。
箱型外枠（１）と板状クリップ（４）でさらに、ゴミ袋を固定する。
以上の取り付け方にてゴミ袋を装着して使用するが未使用時は、中枠（２）を箱型外枠（１）の内側に収納する事により密閉され、衛生的に使用できる。
【符号の説明】
【０００９】１  箱型外枠
２  中枠
３  内枠
４  板状クリップ
５  ピン
６  ばね
【図１】
2011068488.tif 000003
【図２】
2011068488.tif 000004
(57)【要約】【課題】  バインダー、ノートブックなどを開く際に、素早く簡単に所用頁を開くことができ、閉じる度に、所用頁にしおりを挿む必要がなく、従来の弾性のあるプラスチック製の表紙に切れ込みを設けるだけの簡単な構造で、しおりを兼ねたプラスチック製の表紙を提供する。【解決手段】綴じられたリフィルよりも一回り大きいサイズで、弾性のあるプラスチック製の表表紙と裏表紙を設け、プラスチック製の裏表紙に、先端が綴じられたリフィルの端に少し重なるように切れ込みを設け、クリップ片を設けたことを特徴とするものと、綴じられたリフィルと同じサイズで、弾性のあるプラスチック製の表表紙と裏表紙を設け、プラスチック製の裏表紙に、裏表紙の一部分が綴じられたリフィルよりも外側にはみ出した見出し部を設け、その見出し部に、その表紙に綴じられたリフィルの端に先端が少し重なるように切れ込みを設け、クリップ片を設けたことを特徴とするしおりを兼ねたプラスチック製の表紙。【選択図】図１
2011068113.tif 000002
【特許請求の範囲】
【請求項１】
綴じられたリフィルよりも一回り大きいサイズで、弾性のあるプラスチック製の表表紙と裏表紙を設け、プラスチック製の裏表紙に、その表紙に綴じられたリフィルの端に先端が少し重なるように切れ込みを設け、クリップ片を設けたことを特徴とするしおりを兼ねたプラスチック製の表紙。
【請求項２】
綴じられたリフィルと同じサイズで、弾性のあるプラスチック製の表表紙と裏表紙を設け、プラスチック製の裏表紙に、裏表紙の一部分が綴じられたリフィルよりも外側にはみ出した見出し部を設け、その見出し部に、その表紙に綴じられたリフィルの端に先端が少し重なるように切れ込みを設け、クリップ片を設けたことを特徴とする請求項１におけるしおりを兼ねたプラスチック製の表紙。
【発明の詳細な説明】
【技術分野】
【０００１】  本発明は、バインダー、ノートブック、ファイルなどを開く際に、簡単に所用頁を開くことができる、しおりを兼ねたプラスチック製の表紙に関するものである。
【背景技術】
【０００２】  従来、バインダー、ノートブック、ファイルなどを開く際に、所用頁を探し出して開いていた。
なお、しおりの役目を合わせ持つ、本やノートブックのカバーの発明が知られている。
【先行技術文献】
【０００３】
【特許文献１】特開２００２−３７０４７１号公報
【特許文献２】特開平１１−２０３３８号公報
【発明の概要】
【発明が解決しようとする課題】
【０００４】  そのために、次のような問題点があった。
（イ）バインダー、ノートブック、ファイルなどを開く際に、所用頁を探し出して開く手      間がかかった。
（ロ）しおりの役目を合わせ持つ、本やノートブックなどのカバーを使用する場合、別に      購入しなくてはならずコストがかかった。
（ハ）しおりの役目を合わせ持つ、本やノートブックなどのカバーを使用した場合、項を      閉じる度に、所用頁にしおり片を挿し込む手間がかかった。
本発明は、以上の問題点を解決するためになされたものである。
【課題を解決するための手段】
【０００５】  弾性のあるプラスチック製の表紙を設け、その表紙に綴じられたリフィルの端に、先端が少し重なるように、裏表紙に切れ込みを設け、クリップ片を設ける。表紙がリフィルよりもどの程度大きいかによって、クリップ片の設け方は異なる。
以上を特徴とするしおりを兼ねたプラスチック製の表紙である。
【発明の効果】
【０００６】  バインダー、ノートブック、ファイルなどを開く際に、素早く簡単に所用頁を開くことができ、閉じる度に、いちいち所用頁にしおりを挿む必要がない。
本発明は、プラスチック製の表紙に切れ込みを設けるだけの極めて簡単な構造なので、製造コストを抑えることができる。
【図面の簡単な説明】
【０００７】
【図１】本発明の構造の一例
【図２】本発明の構造の他の例
【図３】本発明の実施例を示す図
【図４】本発明の他の実施例を示す図
【発明を実施するための形態】
【０００８】  以下、本発明の実施の形態について説明する。
（イ）綴じられたリフィル（８）よりも一回り大きいサイズの、弾性のあるプラスチック      製の表表紙（３）と裏表紙（４）を設け、バインダー本体（１）を設ける。
（ロ）綴じられたリフィル（８）と同じサイズの、弾性のあるプラスチック製の表表紙（      ３）と裏表紙（４）を設け、ノートブック本体（２）を設ける。
（ハ）バインダー本体（１）のプラスチック製の裏表紙（４）に、その表紙に綴じられた      リフィル（８）の端に、先端が少し重なるようにして切れ込み（６）を設け、クリ      ップ片（７ａ）を設ける。
（ニ）ノートブック本体（２）のプラスチック製の裏表紙（４）の端に、裏表紙（４）の      一部分が綴じられたリフィルよりも少し外側にはみ出した見出し部（５）を設ける      。
（ホ）ノートブック本体（２）の見出し部（５）に、その表紙に綴じられたリフィル（８      ）の端に、先端が少し重なるようにして切れ込み（６）設け、クリップ片（７ｂ）      を設ける。
本発明は以上のような構造で、これを使用するときは、前もってリフィル（８）の最初の頁を切れ込み（６）に挿んでおけば、後は頁をめくる度に、弾性のあるクリップ片（７ａ）又は（７ｂ）が適度にしなって、頁送りに追随し、バインダー、ノートブックなどを開く際に、クリップ片（７ａ）又は（７ｂ）のある部分を軽く押さえながら開くだけで、所用頁を素早く簡単に開くことができる。
【符号の説明】
【０００９】      １バインダー本体
２ノートブック本体
３表表紙
４裏表紙
５見出し部
６切れ込み
７ａクリップ片
７ｂクリップ片
８リフィル
【図１】
2011068113.tif 000003
【図２】
2011068113.tif 000004
【図３】
2011068113.tif 000005
【図４】
2011068113.tif 000006
(57)【要約】      （修正有）【課題】廃石膏、廃貝殻を粉砕し樹脂エマルジョンで表面処理し骨材として有効利用する。【解決手段】廃石膏、廃貝殻を２００ミクロン以下に粉砕して樹脂エマルジョンを０．１〜３％添加し混合乾燥した粉体とする。樹脂エマルジョンでコートするため廃石膏などに含まれる不純物（フッ素など）が固定化され骨材として使用したとき溶出しない。又コートすることにより例えばセメント樹脂の骨材として使用する場合、混合セメント樹脂とのなじみが良くなる。【選択図】なし【特許請求の範囲】
【請求項１】
廃貝殻、廃石膏の２００ミクロン以下の粒径の粉末の少なくとも１粒に樹脂エマルジョンを固形分として０．１〜３％添加し混合乾燥した粉体。
【請求項２】
請求項１記載の粉体を骨材として使用する方法。
【発明の詳細な説明】
【技術分野】
【０００１】本発明は新規な粉体及びその用途に関する
【背景技術】
【０００２】従来廃石膏、廃貝殻は多量に発生しており、その処理が問題となっていた。
【発明の概要】
【発明が解決しようとする課題】
【０００３】本発明は大量に発生する廃石膏、廃貝殻を処理し有効利用することを目的とする。
【課題を解決するための手段】
【０００４】現在処分が非常に困難な、大量の廃貝殻や廃石膏を２００ミクロン以下に粉砕し、樹脂エマルジョンで表面処理をして骨材として有効利用することにある。
【発明の効果】
【０００５】本発明により大量に発生する廃石膏、廃貝殻を処理して有効利用することができる。
【発明を実施するための最良の形態】
【０００６】本発明は廃石膏、廃貝殻を２００  ミクロン以下に粉砕して樹脂エマルジョンを０．１〜３％添加し混合乾燥した粉体とする。樹脂エマルジョンでコートするため廃石膏などに含まれる不純物（フッ素など）が固定化され骨材として使用したとき溶出しない。又コートすることにより例えばセメント樹脂の骨材として使用する混合セメント樹脂とのなじみが良くなる。
【実施例１】
【０００８】以下実施例で説明する。
廃石膏を６０〜１００ミクロンに粉砕し、それにサクビエマルジョン（昭和高分子ポリゾールＥＶＡ・ＡＤ−１０）を０．２％添加混合し、乾燥して粉体を得た。
得られた粉体を砂の代わりにセメントと混合し、硬化させてコンクリートを得た。砂と同等のコンクリートが得られた。
砂の一部を本発明の粉体と置き換えてもよい。
(57)【要約】【課題】乗り物の安全性が高まる。【解決手段】椅子の横に、悲鳴に感知するエアバッグを取り付け、横方向からの安全性を高める【選択図】図１
2011068330.tif 000002
【特許請求の範囲】
【請求項１】
乗り物の椅子に悲鳴に感知するエアバッグを取り付けたことを特徴とする椅子。
【発明の詳細な説明】
【技術分野】
【０００１】椅子の有る乗り物全部
【背景技術】
【０００２】従来は乗り物の横方向の安全性が低かった。
【発明の概要】
【発明が解決しようとする課題】
【０００３】椅子の横に、悲鳴に感知するエアバッグを取り付け、横方向からの安全性を高める。
【発明の効果】
【０００４】従来は乗り物の横方向の安全性が低かったが、椅子の横から膨らむエアバッグを取り付け、横方向からの安全性を高める。
【図面の簡単な説明】
【０００５】
【図１】この特許発明の斜傾図
【発明を実施するための形態】
【０００６】従来の乗り物は横方向からの安全性が低かったが、椅子の横に悲鳴に感知するエアバックを取り付けることによって、横方向からの安全性が高まる。
【実施例】
【０００７】椅子の横にエアバックを取り付けることによって、横方向からの安全性が高まる。
【産業上の利用の可能性】
【０００８】椅子の有る乗り物業界における産業に利用される。
【符号の説明】
【０００９】１．椅子
２．エアバック
【図１】
2011068330.tif 000003
(57)【要約】      （修正有）【課題】ダンプカーの積荷後方排出において、低コストで従来通りの排出もできて小分け排出や一輪車にも排出できるようなテールゲート提供する。【解決手段】まず、使用する際に通常のテールゲートと本発明の排出窓付きテールゲートを交換する、そして、テールゲート本体３には排出窓４が設けられており、鉄板蓋１をはめ込み金具部５に抜き差しすることにより排出窓４が開閉し、サポート板２を通り的確な場所への積荷の排出量を調整できる。【選択図】図３
2011068327.tif 000002
【特許請求の範囲】
【請求項１】
ダンプカーテールゲートに、抜き差し式の鉄板蓋で開閉できる排出窓を設けたテールゲート。
【請求項２】
前記テールゲートの排出窓には、排出する際により的確な場所へ排出させるための、サポート板が取り付けられていることを特徴とする請求項１記載のダンプカーテールゲート。
【発明の詳細な説明】
【技術分野】
【０００１】  この発明は、ダンプカーの砕石等の積荷を排出する際に、排出量を調整できる排出窓が付いたテールゲートに関する。
【背景技術】
【０００２】  従来より、ダンプカーの後方に向かって油圧シリンダーにより荷台を傾かせ、積荷を一定の場所へ山積み排出するダンプカーが用いられている。また、荷台を傾かせず通常の状態のままテールゲートそのものを開閉し、一輪車に砕石等をスコップを使い人力で移し替えて運ぶ場合もあった。しかし、ダンプカーの荷台を後方に傾かせての積荷の排出量が調整しにくい、ダンプカーの後方にしか排出できない、また、一輪車へ人力で移し替える労力が必要であるなどの、不便さが感じられた。
そこで近年、ダンプカー荷台を前方に傾かせ排出機構（スクリューコンベア）により側面に排出させたり、後方に傾かせ排出する際は３枚のアオリ板をそれぞれ開閉することにより排出させるなどの技術がある。
【先行技術文献】
【特許文献】
【０００３】
【特許文献１】特開２００７−１８２２０７号公報
【発明の概要】
【発明が解決しようとする課題】
【０００４】  しかしながら、以上の技術によれば、荷台を前方に傾かせたり、排出機構のシステムや、テールゲートに施される３枚アオリ板の構造など、職種や使用する現場の規模によりここまでのコストかけられない、又は、ここまでの機能が不必要な場合もある、しかしながら、従来のダンプカーでの排出機能だけでは不便と考えられる。
そこで、この発明は、低コストで容易にダンプカー荷台からの、後方排出における排出量の調整ができるテールゲートを提供することを課題とする。
【課題を解決するための手段】
【０００５】  以上の課題を解決するために、第一発明は、取外し式の鉄板蓋を付けた排出窓を設けることを特徴とするテールゲートである。
また、第二発明は、テールゲートの排出窓には排出する際により的確な場所へ排出させるための、サポート板が取り付けられていることを特徴とするテールゲートである。
【発明の効果】
【０００６】  第一発明、または第二発明よれば、取外し式の鉄板蓋が付いているテールゲートの排出窓から、荷台を後方に傾かせてサポート板により的確に一定の場所や一輪車に必要な量だけ排出できるようになる。【０００７】  また、必要時に排出窓付きのテールゲートを通常のものと交換するだけであるので楽に扱える。そして、職種や現場の状況により必要最低限の機能で、構造が単純なためコストパフォーマンスに優れている。
【図面の簡単な説明】
【０００８】
【図１】この発明の一実施形態を示すテールゲートを後方から見た立面図である。
【図２】この発明の一実施形態を示すテールゲートを側面から見た側面図である。
【図３】この発明の一実施形態を示すテールゲートの排出窓から鉄板蓋を抜いた時の全体の斜視図である。
【発明を実施するための形態】
【０００９】  以下、この発明の一実施形態を、図１より図３を参照しながら説明する。
テールゲートの本体３には排出窓４が設けられており、鉄板蓋１をはめ込み金具部５に抜き差しすることにより排出窓４が開閉し、荷台の積荷６の排出量の調整を簡素的にかつ容易にしている。
【００１０】  また、積荷６を排出する際により的確な場所へ排出させるため、サポート板２が取り付けられている。
【符号の説明】
【００１１】１  鉄板蓋                ２  サポート板            ３  テールゲート本体
４  排出窓                ５  はめ込み部            ６  積荷
【図１】
2011068327.tif 000003
【図２】
2011068327.tif 000004
【図３】
2011068327.tif 000005
(57)【要約】【課題】トラックの荷台９上で荷物の積み下ろし作業中荷物にはさまれたり荷台９上からの転落事故が多く発生している、本発明ははさまれ、転落事故を少なくするトラックあおり水平固定具３，４を提供する。【解決手段】トラックのあおり７を水平に固定して荷物の積み下ろし作業時通路として使用し、はさまれや転落事故を少なくするトラックあおり７水平固定具３、４を提供する。【選択図】図１
2011068329.tif 000002
【特許請求の範囲】
【請求項１】
トラックのあおりを水平に固定して荷物の積み下ろし作業時あおりを通路として使用するトラックあおり水平固定具。
【請求項２】
ジョイント付水平固定具のこの字形上部にあおりを固定するためのボルトを備え下側と前側にジョイント備える請求項１に記載のトラックあおり水平固定具。
【請求項３】
パイプ、ジョイントは丸パイプ、角パイプ、多角形の物でも良い平板も材質にこだわらず金属、アルミ、樹脂他の材質でも良い請求項１又２に記載のトラックあおり水平固定具。
【請求項４】
ジョイント付水平固定具はトラックのあおりの巾にスライドする、ステーはトラックに固定、爪付水平固定具は脱着式請求項１，２又は３に記載のトラックあおり水平固定具。
【請求項５】
ステー無しで水平固定金具とクランプがー体化でトラックボディーに脱着するを有する請求項１，２，３又は４に記載のトラックあおり水平固定具。
【発明の詳細な説明】
【技術分野】
【０００１】  本発明はトラックあおりに関する。
【背景技術】
【０００２】トラックの荷物積み下ろし作業は荷台の上に乗り荷物をよけながらの作業が多く荷物にはさまれる事故や、転落事故が多く荷台いっぱいに荷物があると作業員の場所がなく大変危険である。【０００３】  そのために踏み台などあるが、荷台脇に全部並べるわけにもいかずー部分の使用で作業している、先行技術に該当するものが無くー番近い文献を記載する。
【先行技術文献】
【特許文献】
【０００４】
【特許文献１】  特開２０００−２８０９３８号公報
【発明の概要】
【発明が解決しようとする課題】
【０００５】この発明はトラックの荷台上で荷物にはさまれたり、荷台からの転落事故が多い、以上の問題点を解決するための発明である。
【課題を解決するための手段】
【０００６】この発明はトラックの荷物の積み下ろし作業時あおりを水平に固定して安全通路として使用しはさまれや、転落事故を少なくする、以上の構成よりなるトラックあおり水平固定具。
【発明の効果】
【０００７】この発明でトラック荷台上でのはさまれ、転落事故が少なくなる。
【図面の簡単な説明】
【０００８】
【図１】本発明斜視図
【図２】本発明の使用状態を示す斜視図
【発明を実施するための形態】
【０００９】以下、本発明の実施の形態を図１、図２について説明する。
（イ）ステー１  ステーボルト２  ステー１の上部に３ａの爪が入るミゾを備える
（ロ）ジョイント付水平固定具４は、爪付水平固定具３にスライドしてトラックあおりの巾に合わせジョイント付水平固定具４のこの字形上部のボルト５で固定する
（ハ）ジョイント６ａ、６ｂはパイプたてる
本発明は以上のような構造である
本発明を使用する時はステー１をトラックボディー８にステーボルト２で固定し爪付水平固定具３の爪３ａをステー１のミゾにさしこみ爪付水平固定具３の上にトラックあおり７を乗せあおりの巾にジョイント付水平固定具３をスライドし上部のボルト５で固定する、水平固定具３，４をトラックボヂィー８に複数付けてジョイント６ａにパイプを立て親綱（建設現場で使用するロープ）をパイプにはり安全帯（建設現場で使用する安全ベルト）のフックを親綱に掛けあおりの上を移動する、ジョイント６ｂはパイプさし６ａに立てたパイプに筋交いを取るときに使用する、あおりを立てた時はジョイント付水平固定具４をあおりにさしてジョイント６ｂにパイプを立てて使用する
【符号の説明】
【００１０】１ステー  ２ステーボルト  ３爪付水平固定具  ３ａ爪  ４ジョイント付水平固定具  ５ボルト  ５ａボルトハンドル  ６ａジョイント  ６ｂジョイント  ７トラックあおり  ８トラックボディー  ９トラック荷台  １０パイプ  １１親綱  １２安全帯
【図１】
2011068329.tif 000003
【図２】
2011068329.tif 000004